(57)【特許請求の範囲】
【請求項１】
携帯電話機と、携帯電話網に接続された第１のゲートウェイと、該第１のゲートウェイに接続された第２のゲートウェイと、該第２のゲートウェイに接続された地図サーバとを有する地図情報システムにおける地図表示方法であって、
前記携帯電話機が情報を要求し、第１のゲートウェイが端末ＩＤを付加し、第２のゲートウェイが該端末ＩＤをチェックし、地図サーバが前記要求に基き経路案内地図及び経路案内文を生成し、該地図サーバがその結果を前記携帯電話機に送信し、該携帯電話機はその結果を該携帯電話機の画面に表示し、
前記経路案内文及び経路案内地図がアクセスキーを含み、該アクセスキーを前記携帯電話機に入力することにより、先の行程の経路案内文及び地図を前記画面上に表示することを特徴とする地図表示方法。
【請求項２】
前記表示は、ＨＴＭＬベースの言語により行われることを特徴とする請求項１に記載の地図表示方法。
【発明の詳細な説明】
【０００１】
【発明の属する技術分野】
本発明は、移動体通信技術に係り、特に、地図情報を端末や携帯電話機に表示し、経路案内を行う方法に関する。
【０００２】
【従来の技術】
近年、ノートパソコン等に地図を表示し、種々の情報を提供するサービスが普及してきている。例えば、現在位置の周辺地図を携帯電話機等に接続したノートパソコンに表示させて、近くの店舗の情報を取得するようなサービスがある。
図１に従来の技術における地図表示及び経路案内のためのシステムの構成例を示す。同図に示すように、インターネットに接続された地図サーバから、インターネット及び事業者のネットワークを介して、地図情報がノートパソコン等に送信される。
【０００３】
また、従来の技術における経路案内サービスは、経路案内を行う文章を行程順に記述することによって提供されている。
【０００４】
【発明が解決しようとする課題】
しかしながら、上記従来の技術によると、地図サーバはインターネットに接続されていたため、一般の携帯電話機から地図サーバにアクセスすることができなかった。従って、外出中に地図情報を参照する場合にはノートパソコン等の端末を携帯しなければならず、利便性に欠けるという問題点があった。
【０００５】
また、経路案内を行うにあたって、案内文が長い場合には、それを画面内でスクロールしなければならず、特に端末画面が小さい場合に、端末の操作性に欠けるという問題点があった。
本発明は上記の点に鑑みてなされたものであり、携帯電話機に地図を表示し、操作性の優れた経路案内を行う方法を提供することを目的とする。
【０００６】
【課題を解決するための手段】
上記の目的を達成するために本発明は次のように構成することができる。
本発明は、地図を携帯電話機に表示する地図表示方法であって、前記携帯電話機が地図サーバにアクセスし、該地図サーバは地図を前記携帯電話機に送信し、該携帯電話機は該地図を該携帯電話機の画面に表示させる。
【０００７】
本発明によれば、インターネット等を介することなく携帯電話上で地図を表示することができるため、利用者は、ＰＣ等を所持することなく、種々の地図情報サービスを受けることができる。
上記の構成において、前記地図サーバは、前記携帯電話機からの要求に基き、経路案内地図及び経路案内文を生成し、該携帯電話機に該経路案内地図及び経路案内文を送信するようにしてもよい。
【０００８】
本発明によれば、携帯電話で経路案内サービスを受けることが可能となり、携帯電話の利便性を向上させることができる。
本発明は次のように構成することもできる。
本発明は、携帯電話機と、携帯電話網に接続された第１のゲートウェイと、該第１のゲートウェイに接続された第２のゲートウェイと、該第２のゲートウェイに接続された地図サーバとを有する地図情報システムにおける地図表示方法であって、前記携帯電話機が情報を要求し、第１のゲートウェイが端末ＩＤを付加し、第２のゲートウェイが該端末ＩＤをチェックし、地図サーバが前記要求に基き経路案内地図及び経路案内文を生成し、該地図サーバがその結果を前記携帯電話機に送信し、該携帯電話機はその結果を該携帯電話機の画面に表示させる。
【０００９】
本発明によれば、端末ＩＤをチェックするので、不正なアクセスを防止して上記の効果を得ることができる。
また、上記の目的を達成するために本発明は次のように構成される。
本発明は、端末の画面上で経路案内を行う経路案内方法において、経路案内文及び地図がアクセスキーを含み、該アクセスキーを該端末に入力することにより、先の行程の経路案内文及び地図を該画面上に表示する。
【００１０】
本発明によれば、アクセスキーを用いて別の行程の画面に移行することができるので、長い案内文をスクロールさせることなく、行程に最適な経路案内文及び地図を表示することが可能となる。従って、携帯電話の画面のような小さな画面でも操作性の良い経路案内を行なうことが可能となる。
上記の構成において、前記表示は、ＨＴＭＬベースの言語により行われることとしてもよい。
【００１１】
本発明によれば、ＨＴＭＬブラウザを備えた端末であれば、どのような端末にもアイコンを備えた経路案内地図及び経路案内文を表示することが可能となる。
また、本発明は次のように構成することもできる。
本発明は、端末の画面上で経路案内を行う経路案内方法において、地図サーバが、携帯電話機からの要求に基き、経路案内文及び経路案内地図を生成し、該携帯電話機に該経路案内文及び経路案内地図を送信し、該携帯電話機は該経路案内文及び経路案内地図を表示し、該経路案内文及び経路案内地図はアクセスキーを含み、該アクセスキーを該携帯電話機に入力することにより、先の行程の経路案内文及び地図を該携帯電話機上に表示する。
【００１２】
本発明によれば、携帯電話機に経路案内地図及び案内文を表示し、その表示画面上でアクセスキーを用いて別の行程の画面に移行することができるので、携帯電話の画面のような小さな画面でも長い案内文をスクロールさせることなく、行程に最適な経路案内文及び地図を表示することが可能となる。従って、携帯電話機上で操作性の良い経路案内を行なうことが可能となる。
【００１３】
上記の構成において、前記経路案内地図及び経路案内文の表示は、ＨＴＭＬベースの言語により行われることとしてもよい。
【００１４】
【発明の実施の形態】
図２に上記の地図表示を実現する地図表示システムの構成を示す。同図に示すように、この地図表示システムは、携帯電話網１００、インターネット１０３、情報提供サーバ１０１、１０２から構成される。携帯電話網１００は、携帯電話機１１１、携帯網１０９、携帯網１１０、ゲートウェイサーバ１（１０８）、ゲートウェイサーバ２（１０７）、顧客ＤＢ１０６、情報提供サーバ１０５、地図サーバ１０４を有する。
【００１５】
ゲートウェイサーバ１（１０８）は、携帯電話機との通信を行なうためのゲートウェイであり、携帯電話機からの要求に対して端末ＩＤを付与し、指定された端末ＩＤが付与された携帯電話機への応答をその携帯電話機に送信する制御を行なう。
ゲートウェイ２（１０７）は、携帯電話機等からの要求がどのアドレス向けかを識別し、またそのアドレスへのアクセスを許容するか否かを顧客ＤＢ１０６を参照して判断する。アクセスを許容しない場合にはアクセスを拒否し、許容する場合には、そのアドレスへの中継を行なう。また、応答はその送信先の端末（携帯電話機）が収容されているゲートウェイを顧客ＤＢから参照し、そのゲートウェイにアクセスする。図２におけるゲートウェイサーバ１（１０７）はそのようなゲートウェイのうちの１つである。
【００１６】
顧客ＤＢ１０６は携帯電話機のアクセス可能なサーバ情報（サービスを提供するアドレス等）及び現在収容されているゲートウェイ情報を有するデータベースである。情報提供サーバ１０１、１０２はゲートウェイサーバ２（１０７）と専用線又はインターネットで接続され、ゲートウェイサーバ２（１０７）からの要求に応じた情報を生成配信する。
【００１７】
図３は本システムにおけるコマンドシーケンスを示す図である。同図及び図２を参照してコマンドシーケンスを説明する。まず、携帯電話機が情報要求として目的地情報及び要求地図種別をゲートウェイサーバ１（１０８）に携帯網１０９を介して送信する。ゲートウェイサーバ１（１０８）ではその携帯電話機の現在地情報と端末ＩＤを付加する。なお、携帯電話機が情報要求を行なう時に現在地情報を含めてもよい。
【００１８】
携帯電話機は、現在位置の情報として、経度緯度、住所、電話番号、店の名称等を送信できる。また、携帯電話機が現在位置を空白とした場合には、ゲートウェイサーバ１（１０８）は、例えば、目的地の最寄駅を現在位置と設定する。目的地情報は経度緯度、住所、電話番号、店の名称等である。要求地図種別としては単純経路地図又は周辺情報を付与した経路地図を指定できる。端末ＩＤは当該携帯電話網で収容されている端末のＩＤ番号である。
【００１９】
続いて、ゲートウェイサーバ１（１０８）は現在地情報、目的地情報、要求地図種別及び端末ＩＤをゲートウェイサーバ２（１０７）に送信する。ゲートウェイサーバ２（１０７）は、顧客ＤＢ１０６を参照して端末ＩＤをチェックする。ここで、端末ＩＤが顧客ＤＢにない場合、又は端末ＩＤがない場合にはアクセスが拒否される。端末ＩＤのチャック結果が良好であれば情報要求を地図サーバ１０４に送信する。
【００２０】
地図サーバ１０４では案内地図及び案内文を生成する。地図サーバ１０４は処理結果通知として結果生成物、案内地図及び案内文をゲートウェイサーバ２（１０７）に送信する。
上記の結果生成物は、地図ファイル数、目的地までの距離、経路ランドマーク数、周辺ランドマーク数、経路案内文数等から構成される。案内地図は地図ファイルであり、案内文は経路ランドマーク情報（名称、住所、電話番号）、周辺ランドマーク情報（名称、住所、電話番号）、経路案内文等である。なお、結果生成物は、例えば、上記の情報から構成された１つのＨＴＭＬ文書とすることができる。
【００２１】
続いて、ゲートウェイサーバ２（１０７）は送信先の携帯電話機が収容されているゲートウェイを顧客ＤＢ１０６から参照し、そのゲートウェイ、例えばゲートウェイサーバ１（１０８）に処理結果通知を送信する。そして、ゲートウェイサーバ１が携帯電話機に処理結果通知を送信することによって、携帯電話機で経路案内の情報を見ることができる。
【００２２】
図４は、本発明の一実施例を示し、携帯電話機に地図が表示され、経路案内を行う場合の例を示す図である。同図において、携帯電話機に表示された画面が操作者のキー入力によって（ａ）〜（ｄ）のように遷移し、経路案内を行なう。
（ａ）は、ＪＲ鎌倉駅をスタート地点として鎌倉警察を目的地とする経路案内の最初の画面を表す。同図に示すように、スタート地点から目的地までの距離が示され、目印となるビル等（以下、ランドマークと称する）が地図上で数字又は文字のアイコンで示される。画面の下側には経路案内文が示される。経路案内文中には地図上のアイコンに対応したアイコン（アクセスキー）が表示され、そのアイコンをキー入力することにより、そのアイコンに対応したランドマーク周辺の案内文に遷移する。
【００２３】
図４において、（ａ）の画面で１を入力すると（ｂ）の画面になり、（ｂ）の画面で２を入力すると（ｃ）の画面になり、同様にして、目的地を示す（ｄ）の画面になる。このように、アクセスキーを入力することによって行程に沿って適切な案内文及び地図を表示するので、小さな画面の携帯電話機でも操作性が良い。
【００２４】
経路案内は上記以外の方法によっても可能である。図５〜図７を用いてそれらの例を説明する。
図５は、アクセスキーを含まない画面表示の例であり、小さな画面の場合には全文を表示させることができないので、画面をスクロールさせることによって、案内文を読む。
【００２５】
図６は、最初のアクセスキー（アクセスキー０）の入力後に、ランドマークを示すアイコンを含む地図、アイコンの示す意味、及びアイコンを含む案内文を表示する画面表示の例である。この場合も、小さな画面の場合には画面をスクロールさせることによって、案内文を読む。この場合は、図５と比較して、ランドマークの位置を案内文と対応させやすくなっている。
【００２６】
図７は、アクセスキー０で図６に相当する画面が表示され、そこからアクセスキーの入力に応じて（ｂ）〜（ｄ）の画面に遷移する、画面表示の例であり、（ｂ）〜（ｄ）の画面では地図と、選択したアクセスキーの場所名が表示される。この場合は、画面をスクロールさせなくても経路順に地図を表示させることが可能である。
【００２７】
図８は地図サーバ２００の構成を示す図である。同図に示すように、地図サーバ２００は、要求受取部２０１、制御部２０２、要求記憶部２０３、経路探索部２０４、案内文生成部２０５、地図生成部２０６、出力情報記憶部２０７、出力情報編集部２０８、出力環境部２０９、出力情報メディア変換部２１０、出力部２１１、地図データ２１２を有する。次に、地図サーバ２００の動作を説明する。
【００２８】
情報要求を受信すると、要求受取部２０１は携帯電話機等の要求端末からの地図要求と出力先端末種別を解釈し、その解釈した結果を制御部２０２に伝えるとともに要求内容を要求記憶部２０３に蓄積する。制御部２０２は地図の要求（出発点と目的地、端末種別等）を経路探索部２０４に通知する。経路探索部２０４では要求に応じた経路探索を地図データ２１２を参照しながら実行し、その結果を案内文生成部２０５と地図生成部２０６に通知する。上記の経路探索については種々の方法が可能である。
【００２９】
案内文生成部２０５及び地図生成部２０６は探索結果に基づいた案内文及び地図をそれぞれ生成し、出力情報蓄積部２０７に蓄積するとともに、生成が終わったことを制御部２０２に通知する。なお、地図生成部２０６は地図生成時に、情報要求に含まれる端末種別情報を基に、後述する出力環境部２０９に記述された端末種別画面制御ファイルを参照し、出力する地図サイズを設定する。
【００３０】
地図及び案内文の生成が終了すると、制御部２０２では出力処理を行なう旨を出力情報編集部２０８に通知する。出力情報編集部２０８では出力環境部２０９に記述された情報を基に出力情報において地図、案内文、アイコン説明等を配置して、編集する。編集が終わると出力情報メディア変換部２１０は、要求記憶部２０３に記憶されている出力端末情報を参照し、ＷＷＷサーバへの出力の場合はＨＴＭＬファイルのまま出力し、電子メールへの出力の場合にはＨＴＭＬファイルを添付ファイルとして電子メールで送信し、ＦＡＸ送信の場合にはＦＡＸ符号に変換して送信し、電話への出力の場合には案内文を音声で読み上げて出力部に送信する。出力部はその情報を指定された出力先に送信する。図３に示す携帯電話機への出力の場合には、その携帯電話機で表示可能なＨＴＭＬベースの言語によるデータをゲートウェイサーバ２（１０７）に送信する。
【００３１】
図９は、携帯電話機に送信するために地図サーバが生成したＨＴＭＬベースの言語によるデータの一例であり、図４に示した画面表示に対応する。このＨＴＭＬ文書を携帯電話機が解釈して地図を表示する。
図９に示したＨＴＭＬベースの言語は、ＨＴＭＬ言語のサブセット版であり、コンパクトＨＴＭＬ（Ｃ−ＨＴＭＬ）と称されている言語の仕様に近く、テンキーでの入力や、通話機能と連動させるタグ等が携帯電話機向けに定義されている。図９中、例えば  accesskey=1 のところで１を入力した画面は図４（ｂ）に対応している。
【００３２】
地図サーバ２００が図９に示したＨＴＭＬデータを生成する手順は次の通りである。出力情報編集部２０８は、出力環境部２０９に格納されている出力設定データ設定データファイルを参照し、案内文生成部２０５、地図生成部２０６が生成した各種情報情報の属性を判断する。出力設定データ設定データファイルには、案内文生成部２０５、地図生成部２０６が生成し、メモリ等に蓄積した各種情報の意味が記述されている。図１０に出力設定データ設定データファイルの例を示す。そして、出力設定データを参照しながら各パラメータの属性にあったデータをメモリーから参照し編集する。出力設定データの例を図１１に示す。これにより、図９に示すようなデータが生成される。
【００３３】
本発明は、上記実施例に限定されるものではなく、その要旨を逸脱しない範囲において種々変更可能である。例えば、上記の説明では地図サーバ２００に地図データや出力環境部が含まれる例を示したが、地図データや出力環境部のそれぞれがネットワークに接続された別サーバにあってもよい。また、アクセスキーを複数配置する方法は、例えばＰＣ等の携帯電話以外の端末にも適用できる。
【００３４】
【発明の効果】
本発明によれば、携帯電話機により地図表示及び経路案内サービスを受けることが可能となるので、ノートパソコン等の端末を所持することなく地図表示及び経路案内サービスを受けることができ、利便性が向上する。
また、本発明によれば、長い案内文をスクロールさせることなく、行程ごとのキー操作により最適な経路案内文及び地図を表示するので、操作手順が軽減され、操作性が向上する。従って、携帯電話の画面のような小さな画面でも操作性の良い経路案内を行なうことが可能となる。
【図面の簡単な説明】
【図１】従来の技術における地図表示システムを示す図である。
【図２  】本発明の実施の形態における地図表示システムを示す図である。
【図３  】本発明の実施の形態における地図表示システムのコマンドシーケンスを示す図である。
【図４】経路案内における携帯電話機の画面表示の第１の例を示す図である。
【図５】経路案内における携帯電話機の画面表示の第２の例を示す図である。
【図６】経路案内における携帯電話機の画面表示の第３の例を示す図である。
【図７】経路案内における携帯電話機の画面表示の第４の例を示す図である。
【図８】本発明の実施の形態における地図生成装置を示す図である。
【図９】携帯電話機向けに地図生成装置が出力するデータの例を示す図である。
【図１０】出力設定データ設定データファイルの例を示す図である。
【図１１】出力設定データの例を示す図である。
【符号の説明】
１００  携帯電話網
１０１、１０２  情報提供サーバ
１０３  インターネット
１０４  地図サーバ
１０５  情報提供サーバ
１０６  顧客ＤＢ
１０７  ゲートウェイサーバ２
１０８  ゲートウェイサーバ１
１０９  携帯網
１１０  携帯網
１１１  携帯電話機
２００  地図サーバ
２０１  要求受取部
２０２  制御部
２０３  要求記憶部
２０４  経路探索部
２０５  案内文生成部
２０６  地図生成部
２０７  出力情報記憶部
２０８  出力情報編集部
２０９  出力環境部
２１０  出力情報メディア変換部
２１１  出力部
２１２  地図データ
【図１】
0003805928.tif 000002
【図２】
0003805928.tif 000003
【図３】
0003805928.tif 000004
【図４】
0003805928.tif 000005
【図５】
0003805928.tif 000006
【図６】
0003805928.tif 000007
【図７】
0003805928.tif 000008
【図８】
0003805928.tif 000009
【図９】
0003805928.tif 000010
【図１０】
0003805928.tif 000011
【図１１】
0003805928.tif 000012